(57)【特許請求の範囲】
【請求項１】
送信装置または受信装置であって異なる電源入力条件を採り得る屋外装置とケーブルで接続され該屋外装置への電源供給および通信制御を行う屋内装置に設けられた誤接続防止回路において、
前記電源供給が前記電源入力条件に適合するように電源および電源供給経路を選択する電源選択手段と、
前記送信装置への送信信号および前記受信装置からの受信信号の接続が前記通信制御のための送信または受信と整合するように前記送信信号および前記受信信号の信号接続経路を選択する信号選択手段を有し、
前記信号接続経路が前記電源供給経路の一部を形成することを特徴とする誤接続防止回路。
【請求項２】
前記電源および電源供給経路の選択は、前記電源供給経路を流れる電流が前記電源入力条件で定まる所定の閾値以下であること判定して行うことを特徴とする請求項１に記載の誤接続防止回路。
【請求項３】
前記信号接続経路を選択は、前記信号接続経路におけるサーマルノイズ検波の有無により行なうことを特徴とする請求項１または２に記載の誤接続防止回路。
【請求項４】
前記屋外装置が異なる前記電源に接続されている場合に、前記電源供給経路の選択で定められた信号接続経路を前記信号接続経路の選択で他方へ切り替えるときは、当該電源供給経路の余の部分を他方へ切り替えて当初の電源供給経路と等価な電源供給経路を形成することを特徴とする請求項１〜３に記載の誤接続防止回路。
【請求項５】
それぞれが送信装置または受信装置であって低電源入力条件または高電源入力条件を採
り得る第１の屋外装置，第２の屋外装置へ、低電圧の第１の電源または高電圧の第２の電
源からの電源供給および通信制御を行う屋内装置に設けられた誤接続防止回路において、
前記第１の電源または前記第２の電源を選択する第１セレクタと、
前記第１の電源または前記第２の電源を選択する第２セレクタと、
前記第１セレクタで選択された電源と前記屋外装置からの受信信号を分配する電源・信
号分配器と、
前記第２セレクタで選択された電源と前記屋外装置への送信信号を合成する電源・信号
合成器と、
前記電源・信号分配器または前記電源・信号合成器を選択して前記第１の屋外装置を接
続する第３セレクタと、
前記電源・信号合成器または前記電源・信号合成器を選択して前記第２の屋外装置を接
続する第４セレクタを有し、
前記第１セレクタと前記第２セレクタは前記電源・信号分配器を流れる電流または前記
電源・信号合成器を流れる電流が前記低電源入力条件または高電源入力条件に適合するように前記選択を行い、また、前記第３セレクタと前記第４セレクタは前記第１の屋外装置からのサーマルノイズまたは前記第２の屋外装置からのサーマルノイズ検波の有無によって前記選択を行なうことを特徴とする誤接続防止回路。
【請求項６】
前記第１の屋外装置と前記第２の屋外装置が異なる前記電源に接続されている場合に、前記第１セレクタ〜第４セレクタにおける選択で定められた電源供給経路を前記第３セレクタと第４セレクタにおける選択で他方へ切り替えるときは、前記第１セレクタおよび前記第２セレクタにおける選択をも同時に切り替えることを特徴とする請求項５に記載の誤接続防止回路。
【請求項７】
前記屋外装置の一方は前記送信信号を前記屋内装置からアンテナへ送出するＢＵＣ（Block Up Converter）であり、前記屋外装置の他方はアンテナからの前記受信信号を前記屋内装置へ送出するＬＮＢ（Low Noise Block down converter）であることを特徴とする請求項１〜６に記載の誤接続防止回路。
【発明の詳細な説明】
【技術分野】
【０００１】
本発明は、誤接続防止回路に関し、特に、屋内装置と屋外装置で構成されケーブルを介して接続される通信装置等における誤接続防止回路に関する。
【背景技術】
【０００２】
この種の誤接続防止は、誤接続による過電流や過電圧で機器が破損するのを防ぐために行われてきた。従来、その安直な防止策として、例えばコネクタに識別ラベルを貼る処置を採っていた。また、電源を受ける側の装置に所定のインピーダンス素子を設け、電源供給側装置からインピーダンス素子に所定の電圧または電流を印加して、インピーダンス素子の電流または電圧を検出することにより、それらが所定の範囲内か否かによって、両装置が適切な組合せか否かを判定する手法も知られている。
【０００３】
しかし、前者の方法では、誤接続であってもコネクタの嵌合自体はできるため、正しい接続かを確認するためには、別途の方策を講じなければならない。また、後者の方法では、識別信号用のラインが特別に必要になるが、識別信号を供給される側が一般の購入品である場合には、そのような仕組みを入れることや接続ピンを増やすことができないという問題点がある。
【０００４】
なお、衛星からの電波を適切に受信するためのシステムであって、装置の誤接続防止に係るものではないが、屋内ユニットは、屋外ユニットへ電圧の供給を開始する際、先ず最大の電圧を選択して初期化し、その後は受信する電波に応じた電圧を供給することにより、ケーブル接続の場合におけるＬＮＢ（Low Noise Block down converter）へ供給電圧の立上り鈍化を回避した技術も知られている。
【先行技術文献】
【特許文献】
【０００５】
【特許文献１】特開平０６−３３３６４０号公報
【特許文献２】特開２０００−３４１１６１号公報
【発明の概要】
【発明が解決しようとする課題】
【０００６】
解決しようとする問題点は、屋外装置が一般の購入品である場合は、屋内装置との接続正誤確認のために特別な加工が必要であるということである。
【課題を解決するための手段】
【０００７】
本発明は、屋外装置と屋内装置とのインタフェースは不変のままで屋外装置の誤接続を自動的に修正するために、電気信号の有無により電流供給経路と信号接続経路を切り替える回路を屋内装置に設けたことを最も主要な特徴とする。
【発明の効果】
【０００８】
本発明の誤接続防止回路は、屋外装置へ供給する電流の閾値との比較および屋外装置からのサーマルノイズ検波により、接続している屋外装置を識別し、供給電源および入出力信号の切替えを屋内装置において自動で行うため、目視による正誤確認作業や特別な措置を採ることなく長い同軸ケーブルで屋内装置と屋外装置へ接続することができるという利点がある。この結果、人的要因による機器破損のリスクを低減できるので、例えば現地の工事員や作業者にとって特に有用である。
【図面の簡単な説明】
【０００９】
【図１】本発明の誤接続防止回路を示すブロック図である。
【図２】電源６と屋外装置との４つの接続形態を示す図である。
【図３】電源７と屋外装置との４つの接続形態を示す図である。
【図４】電源から供給される電流を示す図である。
【図５】屋外装置が同じ電源に接続されているときのセレクタ切替え制御を示す図である。
【図６】屋外装置が異なる電源に接続されているときのセレクタ切替え制御を示す図である。
【図７】制御部９の動作を示すフローチャートである。
【発明を実施するための形態】
【００１０】
本発明の誤接続防止回路は、送信装置または受信装置であって異なる電源入力条件を採り得る屋外装置とケーブルで接続された屋内装置に設けられ、ケーブル接続の誤りを内部回路の切替えにより自動的に修正する。屋内装置からは誤接続防止回路を経由して屋外装置へ電源を供給し、また、誤接続防止回路は屋内装置の中核部からの送信信号を屋外装置へ送出し、屋外装置からの受信信号を屋内装置の中核部へ送出する。
【００１１】
電源供給は屋外装置の電源入力条件に適合するように電源および電源供給経路を選択して行なう。また、送信装置への送信信号および受信装置からの受信信号の接続は、屋内装置の中核部との送受信と整合するように信号接続経路を選択して行なう。信号接続経路は電源供給経路の一部を形成することに顕著な特徴がある。
【００１２】
以下、本発明の実施の形態について図面を参照して詳細に説明する。
【実施例】
【００１３】
図１を参照すると、本発明の誤接続防止回路１は衛星通信装置の屋内装置１６に内蔵されていて、２つの電源６，７および２つの屋外装置１７，１８に接続されている。屋外装置１７，１８は、一方が屋内装置１６からの送信信号をアンテナへ送出するＢＵＣ（Block Up Converter）、他方がアンテナからの受信信号を屋内装置１６へ送出するＬＮＢ（Low Noise Block down converter）であるべきである。一般的には、送信信号にはノイズが無く、受信信号にはノイズが重畳される。
【００１４】
また、屋外装置１７，１８は、これらを正常に動作させるための電源入力条件を有する。この例では、２つの電源入力条件があるものとして、一方を低い電源入力条件（+24V,1A）、他方を高い電源入力条件（+48V,2A）とする。電源６は、+24Vの供給電圧でもって低い電源入力条件を満たすべき電力を屋外装置１７，１８へ供給することができ、電源７は、+48Vの供給電圧でもって高い電源入力条件を満たすべき電力を屋外装置１７，１８へ供給することができる。電源６，７の供給電力は、これらに接続される屋外装置１７，１８の電源入力条件を満たすことが必要である。
【００１５】
以上のように、屋外装置１７，１８それぞれは、ＢＵＣかＬＮＢということと、低い電源入力条件か高い電源入力条件かということとで、４とおりの場合があり得る。しかし、屋外装置１７と屋外装置１８は、外観および接続コネクタの見分けがつき難く、共にＢＵＣあるいはＬＮＢということもあり得るし、電源入力条件を満たさない電源６，７と接続されるということもあり得る。前者の場合は、衛星通信信号の送受信ができず、後者の場合には過電流のために機器を破損するという危険性がある。
【００１６】
誤接続防止回路１は、電源・信号分配器１０と電源・信号合成器１１を含むと共に、屋内装置１６と屋外装置１７，１８とのインタフェースは不変のままで、接続先の屋外装置を自動的に識別し、接続が適切になるように自動で切り替えるため、屋内装置１６と屋外装置１７，１８とのケーブルの誤接続をなくすることができる。
【００１７】
このための手段として、誤接続防止回路１は、電源・信号分配器１０と電源・信号合成器１１の他に、２つの電流検出部２，３と、４つのセレクタ４，５，１２，１３と、表示部８と、２つのノイズ検波器１４，１５を備えている。
【００１８】
電源６が屋外装置１７へ電力を供給する経路は、セレクタ４、電流検出部２、電源・信号分配器１０およびセレクタ１２を経るストレートラインと、セレクタ５、電流検出部３、電源・信号合成器１１およびセレクタ１２を経るクロスラインとがある。電源６が屋外装置１８へ電力を供給する経路は、セレクタ５、電流検出部３、電源・信号合成器１１およびセレクタ１３を経るストレートラインと、セレクタ４、電流検出部２、電源・信号分配器１０および電源・信号合成器１１を経るクロスラインとがある。電源７についても同様である。通常はストレートライン接続となっており、後述のような制御部９による制御を受けるとクロスライン接続に切り替る。
【００１９】
図２は、電源６と屋外装置１７，１８との４つの接続形態を示す。分岐機能を有して接続経路を形成するセレクタ４，５，１２，１３によるルートのみを示し、その他の部分は省略している。なお、電源７と屋外装置１７，１８との接続形態も同様である。
【００２０】
図２（Ａ）は、電源６と屋外装置１７をストレートラインで接続する様子を示しており、電源６からセレクタ４と１２を経て屋外装置１７へ到る。図２（Ｂ）は、電源６と屋外装置１７をクロスラインで接続する様子を示しており、電源６からセレクタ５と１２を経て屋外装置１８へ到る。
【００２１】
また、図２（Ｃ）は、電源６と屋外装置１８をストレートラインで接続する様子を示しており、電源６からセレクタ５と１３を経て屋外装置１８へ到る。図２（Ｄ）は、電源６と屋外装置１８をクロスラインで接続する様子を示しており、電源６からセレクタ４と１３を経て屋外装置１８へ到る。
【００２２】
図３は、電源７と屋外装置１７，１８との４つの接続形態を示し、図３（Ａ）〜図２（Ｄ）は図２（Ａ）〜図２（Ｄ）に対応する。
【００２３】
電流検出部２，３は、当該経路を流れる電流を検出して制御部９へ通知する。制御部９は、その電流を閾値と比較して閾値以下であれば現状を維持し、超過していれば過電流が流れると危険なのでセレクタ４，５を接続オフとした後でセレクタ４，５の接続を切り替える。それでも電流が超過していればセレクタ４，５を接続オフとし、表示部８にアラーム状態であることを外部に表示させる。表示部８は、例えば、発光ダイオード等でよい。セレクタ４を接続オフにする。
【００２４】
セレクタ４は、制御部９からの上記制御により、電源６または７と屋外装置１７とを接続し、セレクタ５は、制御部９からの上記制御により、電源６または７と屋外装置１８とを接続するようにする。制御部９は、このときのセレクタ４，５による接続状態を記憶する。
【００２５】
図４は、電源６，７から供給される電流と、屋外装置１７，１８の電源入力条件が適合している場合に電源供給経路を流れる電流（Ａ）と、適合していない場合に電源供給経路を流れる電流（Ｂ）を示す。適合している場合とは、例えば、供給電圧が+24Vである電源６と電源入力条件が+24V、1Aである屋外装置１７とを接続する場合である。この場合は、図４（Ａ）に示すように、電源供給経路を流れる電流の最大値は約1.0Aであって、閾値1.2A以下である。
【００２６】
一方、適合していない場合とは、例えば、供給電圧が+24Vである電源６と電源入力条件が+48V、2Aである屋外装置１７とを接続する場合である。この場合は、図３（Ｂ）の斜め楕円で示すように、電源供給経路を流れる電流の最大値は閾値1.2Aを超える。制御部９は、電流が閾値を超えた時点で電源６から屋外装置１７への電源供給を停止し、その後に電源７を屋外装置１７へ接続する。
【００２７】
電源・信号分配器１０は、電源６，７からの電力をセレクタ１２と１３へ供給し、またセレクタ１２または１３からの受信信号を屋内装置１６の中核部（図示省略）へ送出する。一方、電源・信号合成器１１は、電源６，７からの電力と屋内装置１６の中核部からの送信信号とを合成してセレクタ１２と１３へ供給する。
【００２８】
屋外装置１７，１８は、送信用のＢＵＣまたは受信用のＬＮＢである。ＢＵＣの場合は、屋内装置１６への方向の信号を扱っていないためノイズフロアを超えるサーマルノイズは発生せず、ＬＮＢの場合は、屋内装置１６への方向の信号を扱うためＬＮＢのアンプからサーマルノイズを発生する。
【００２９】
セレクタ１２，１３には屋外装置１７，１８がケーブルを介して接続され、衛星通信信号の送受信はセレクタ１２，１３を介して行う。ノイズ検波器１４，１５は屋内装置１６の入出力ポートの直前に配置されており、ノイズ検波器１４は屋外装置１７、ノイズ検波器１５は屋外装置１８の各サーマルノイズを検波して制御部９へ通知する。
【００３０】
制御部９は、ノイズ検波器１４とノイズ検波器１５の両方からノイズ検波の通知を受けたり、両方からノイズ検波の通知を受けない場合には表示部８にエラー表示する。前者は屋外装置１７，１８として共にＬＮＢが接続されており、後者の場合は屋外装置１７，１８として共にＢＵＣが接続されていることになるからである。
【００３１】
制御部９は、ノイズ検波器１４からだけノイズ検波の通知を受けたときは現状を維持する。つまり、ノイズ検波器１４がノイズを検出するということは、屋外装置１７がＬＮＢであって、通常はストレートライン接続であるため、ＬＮＢがセレクタ１２を介して電源・信号分配器１０へ導かれるので、適正な接続がなされていることになるからである。
【００３２】
しかし、片方のノイズ検波だけがあっても、それがノイズ検波器１４からのものでない場合には、制御部９はクロスライン接続に切り替える。つまり、セレクタ１３に接続されている屋外装置１８はＬＮＢであり、セレクタ１２に接続されている屋外装置１７はＢＵＣということになるので、ＬＮＢと電源・信号分配器１０、ＢＵＣと電源・信号合成器１１を接続するように切り替えるのである。
【００３３】
この場合、屋外装置１７と屋外装置１８が互いに異なる電源６，７に接続されているときは、セレクタ４，５も同時に切り替えて、先に電流検出により定められた電源６，７と屋外装置１７，１８の間の接続が変更されることを阻止する。このことは、電流検出に基づく電源６，７と屋外装置１７，１８の間のセレクタ４，５による接続状態が制御部９に記憶されているので可能である。
【００３４】
図５は、屋外装置１７と屋外装置１８が同じ電源６に接続されているときの上述のセレクタ切替え制御を図示したものである。先ず、図５（Ａ）に示すように、電源６と屋外装置１７について、図２（Ａ）に示したストレートライン接続、電源６と屋外装置１８について、図２（Ｃ）に示したストレートライン接続がされているとする。
【００３５】
このときに、ノイズ検波の結果によりセレクタ１２，１３について切替えが発生して、屋外装置１７について図２（Ｂ）、屋外装置１８について図２（Ｄ）に示したクロスライン接続になってもセレクタ４および５について切替えは発生せず、図５（Ｂ）に示すような接続となる。この接続によっても、図５（Ａ）に示したのと同様に、屋外装置１７は電源６に接続され、屋外装置１８は電源７に接続されている。これにより、適正な電源接続と適正な送受信接続の双方を担保することができる。
【００３６】
図６は、屋外装置１７が電源６、屋外装置１８が電源７というように異なる電源に接続されているとき上述のセレクタ切替え制御を図示したものである。先ず、図６（Ａ）に示すように、電源６について、図２（Ａ）に示したストレートライン接続、電源７について、図３（Ｃ）に示したストレートライン接続がされているとする。屋外装置１７は電源６に接続され、屋外装置１８は電源７に接続されているので、屋外装置１７と屋外装置１８が互いに異なる電源６，７に接続されていることになる。
【００３７】
このときに、ノイズ検波の結果によりセレクタ１２，１３について切替えが発生して、電源６について、図２（Ｂ）に示したクロスライン接続、電源７について、図２（Ｄ）に示したクロスライン接続になったとする。この場合は、セレクタ６，７についても切替えが発生して、図６（Ｂ）に示すような接続となる。この接続によっても、図６（Ａ）に示したのと同様に、屋外装置１７は電源６に接続され、屋外装置１８は電源７に接続されている。これにより、適正な電源接続と適正な送受信接続の双方を担保することができる。
【００３８】
次に、以上のように構成された本誤接続防止回路１の動作について、制御部９の動作を示す図７のフローチャートを参照しながら場合に分けて説明する。電源６は供給電圧が+24V、電源７は供給電圧が+48Vであるとする。先ず、セレクタ４とセレクタ１２は、図２（Ａ）のようにストレートラインにより電源６と屋外装置１７を接続する（図７のステップS1）。電源６から電源・信号分配器１０を経由して屋外装置１７へ電流が流れる。
【００３９】
（１）ステップS2でYesの場合
この電流は電流検出部２で検出され、閾値以下であるときは（図７のステップS2でYes）、屋外装置１７は低い電源入力条件であることが分かる。セレクタ５とセレクタ１３は、図２（Ｃ）のようにストレートラインにより電源６と屋外装置１８を接続する（図７のステップS5）。電源６から電源・信号合成器１１を経由して屋外装置１８へ電流が流れる。
【００４０】
（1.1）ステップS6でYesの場合
この電流は電流検出部３で検出され、閾値以下であるときは（図７のステップS6でYes）、屋外装置１８も低い電源入力条件であることが分かる。この場合、図５（Ａ）に示すように、屋外装置１７と１８は共に電源６に接続されることとなる。
【００４１】
次に、２つのノイズ検波器１４，１５の内の片方のみがノイズを検波し（図７のステップS9でYes）、そのノイズがノイズ検波器１４からのものであるときは（図７のステップS11でYes）、屋外装置１７はＬＮＢ、屋外装置１８はＢＵＣということであるので、正しい接続である。
【００４２】
しかし、２つのノイズ検波器１４，１５の内の片方のみのノイズ検出でないときは（図７のステップS9でNo）、制御部９は、エラー判定しエラー処理を行って制御を終了する（図７のステップS10）。屋外装置１７と１８が同じタイプの装置（共にＬＮＢまたはＢＵＣ）であるからである。エラー処理では、全てのセレクタ４，５，１２，１３の接続をオフにして、表示部８にてアラーム状態であることを外部に表示する。
【００４３】
また、片方のみのノイズ検波がノイズ検波器１４からのものでないときは（図７のステップS11でNo）、セレクタ１２およびセレクタ１３における接続を図５（Ｂ）に示すように切り替える（図７のステップS13）。即ち、セレクタ１２は電源・信号合成器１１と屋外装置１７を接続し、セレクタ１３は電源・信号分配器１０と屋外装置１８を接続する。これにより、ＬＮＢとＢＵＣの逆接続が是正される。この場合は、上述のように屋外装置１７と１８は同じ電源６に接続されているので（図７のステップS12でYes）、セレクタ１２，１３における切替えが電源接続に影響を及ぼすことはない。
【００４４】
このように、屋外装置１７と１８が共に低い電源入力条件の場合に電源６を自動的に接続すると共に、屋外装置１７，１８としてＬＮＢとＢＵＣを取り違えて接続していても自動的に修正することができる。
【００４５】
（1.2）ステップS6でNoの場合
電流検出部３で検出される電流が閾値を超える電流を検出するときは（ステップS6でNo）、屋外装置１８は高い電源入力条件であることが分かる。このときは、セレクタ５における接続を切り替えて、図３（Ｃ）のようにストレートラインにより、電源７と屋外装置１８とを接続する（図４のステップS7）。結局、この場合の電源６，７と屋外装置１７，１８の接続は図６（Ａ）に示すようになる。電源７から電源・信号合成器１１を経由して屋外装置１８へ電流が流れる、電流検出部３によって検出される。この電流が閾値以下になれば（図４のステップS8でYes）、次にノイズ検波チェックの段階（図４のステップS9〜S14）に入る。
【００４６】
一方、電流検出部３が検出する電流が閾値を超えていれば（図４のステップS8でNo）、制御部９はエラー判定しエラー処理を行って制御を終了する（図４のステップS10）。電源７も適正なものではないことが判明したからである。
【００４７】
ステップS9〜ステップS11の処理は前述のとおりであるが、この場合は、電源６が屋外装置１７、電源７が屋外装置１８に接続されているため、ステップS12においてNoとされる。従って、図６（Ｂ）に示すように、セレクタ１２およびセレクタ１３における接続を切り替えると同時に、セレクタ４およびセレクタ５における接続も切り替える（図４のステップS14）。これは、ＬＮＢとＢＵＣの逆接続の是正による電源接続の矛盾を修正する措置である。
【００４８】
このように、屋外装置１７が低い電源入力条件、屋外装置１８が高い電源入力条件の場合に、電源６を屋外装置１７、電源７を屋外装置１８へ自動的に接続すると共に、屋外装置１７および１８としてＬＮＢまたはＢＵＣを誤接続していても自動的に修正することができる。
【００４９】
（２）ステップS2でNoの場合
電流検出部２で検出される電流が閾値を超えているときは（ステップS2でNo）、屋外装置１７は高い電源入力条件であることが分かる。この場合は、セレクタ４における接続を切り替えて、図３（Ａ）のように電源７と屋外装置１７とをストレートラインにより接続する（図４のステップS3）。電源７から電源・信号分配器１０を経由して屋外装置１７へ電流が流れ、電流検出部２によって検出される。この電流が閾値以下になれば（図４のステップS4でYes）、次に屋外装置１８の電源接続のチェックおよびノイズ検波のチェック段階（図４のステップS5〜S14）に移る。
【００５０】
一方、電流検出部２で検出される電流がなお閾値以下でなれば（図４のステップS4でNo）、制御部９はエラー判定しエラー処理を行って制御を終了する（図４のステップS10）。電源７も適正なものではないことが判明したからである。
【００５１】
（2.1）ステップS6でYesの場合
セレクタ５とセレクタ１３は、図２（Ｃ）のようにストレートラインにより電源６と屋外装置１８を接続する（図７のステップS5）。電源６から電源・信号合成器１１を経由して屋外装置１８へ電流が流れる。
【００５２】
この電流は電流検出部３で検出され、閾値以下であるときは（図７のステップS6でYes）、屋外装置１８は低い電源入力条件であることが分かる。この場合、電源６が屋外装置１８、電源７が屋外装置１７に接続されているため、ステップS12においてNoとされる。従って、図６により説明したように、セレクタ１２およびセレクタ１３における接続を切り替えると同時に、セレクタ４およびセレクタ５における接続も切り替える（図４のステップS14）。これは、ＬＮＢとＢＵＣの逆接続の是正による電源接続の矛盾を修正する措置である。
【００５３】
このように、屋外装置１７が高い電源入力条件、屋外装置１８が低い電源入力条件の場合に、電源６を屋外装置１８、電源７を屋外装置１７へ自動的に接続すると共に、屋外装置１７および１８としてＬＮＢまたはＢＵＣを誤接続していても自動的に修正することができる。
【００５４】
（2.2）ステップS6でNoの場合
電流検出部３で検出される電流が閾値を超える電流を検出するときは（ステップS6でNo）、屋外装置１８は高い電源入力条件であることが分かる。このときは、セレクタ５における接続を切り替えて、図３（Ｃ）のようにストレートラインにより、電源７と屋外装置１８とを接続する（図４のステップS7）。結局、屋外装置１７と１８は共に電源７に接続されることとなる。電源７から電源・信号合成器１１を経由して屋外装置１８へ電流が流れる、電流検出部３によって検出される。この電流が閾値以下になれば（図４のステップS8でYes）、次にノイズ検波チェックの段階（図４のステップS9〜S14）に入る。
【００５５】
ステップS9〜S14における処理は上述のとおりである。この場合、（1.1）の場合と同様に屋外装置１７と１８は同じ電源に接続されているので（図４のステップS12でYes）、ＬＮＢとＢＵＣの逆接続を是正するために、セレクタ１２，１３における切替え（図４のステップS13）をしても電源接続に影響を及ぼすことはない。
【００５６】
このように、屋外装置１７と１８が共に高い電源入力条件の場合に電源７を自動的に接続すると共に、屋外装置１７，１８としてＬＮＢとＢＵＣを取り違えて接続していても自動的に修正することができる。
【００５７】
以上、詳細に説明したように、本誤接続防止装置によれば、屋外装置１７，１８が電源入力条件に適合していない電源に接続されていても、適正な電源に自動的に接続し直し、また、屋外装置１７，１８としてＬＮＢとＢＵＣを取り違えて接続していても、正しいＬＮＢまたはＢＵＣに自動的に接続し直すことができる。
【００５８】
上記の実施形態の一部又は全部は、以下の付記のようにも記載されうるが、以下には限られない。
【００５９】
（付記１）送信装置または受信装置であって異なる電源入力条件を採り得る屋外装置とケーブルで接続され該屋外装置への電源供給および通信制御を行う屋内装置に設けられた誤接続防止回路において、前記電源供給が前記電源入力条件に適合するように電源および電源供給経路を選択する電源選択手段と、前記送信装置への送信信号および前記受信装置からの受信信号の接続が前記通信制御のための送信または受信と整合するように前記送信信号および前記受信信号の信号接続経路を選択する信号選択手段を有し、前記信号接続経路が前記電源供給経路の一部を形成することを特徴とする誤接続防止回路。
【００６０】
（付記２）前記電源および電源供給経路の選択は、前記電源供給経路を流れる電流が前記電源入力条件で定まる所定の閾値以下であること判定して行うことを特徴とする付記１に記載の誤接続防止回路。
【００６１】
（付記３）前記信号接続経路を選択は、前記信号接続経路におけるサーマルノイズ検波の有無により行なうことを特徴とする付記１または２に記載の誤接続防止回路。
【００６２】
（付記４）前記屋外装置が異なる前記電源に接続されている場合に、前記電源供給経路の選択で定められた信号接続経路を前記信号接続経路の選択で他方へ切り替えるときは、当該電源供給経路の余の部分を他方へ切り替えて当初の電源供給経路と等価な電源供給経路を形成することを特徴とする付記１〜３に記載の誤接続防止回路。
【００６３】
（付記５）それぞれが送信装置または受信装置であって低電源入力条件または高電源入力条件を採り得る第１の屋外装置，第２の屋外装置へ、低電圧の第１の電源または高電圧の第２の電源からの電源供給および通信制御を行う屋内装置に設けられた誤接続防止回路において、前記第１の電源または前記第２の電源を選択する第１セレクタと、前記第１の電源または前記第２の電源を選択する第２セレクタと、前記第１セレクタで選択された電源と前記屋外装置からの受信信号を分配する電源・信号分配器と、前記第２セレクタで選択された電源と前記屋外装置への送信信号を合成する電源・信号合成器と、前記電源・信号分配器または前記電源・信号合成器を選択して前記第１の屋外装置を接続する第３セレクタと、前記電源・信号合成器または前記電源・信号合成器を選択して前記第２の屋外装置を接続する第４セレクタを有し、前記第１セレクタと前記第２セレクタは前記電源・信号分配器を流れる電流または前記電源・信号合成器を流れる電流が前記電源入力条件に適合するように前記選択を行い、また、前記第３セレクタと前記第４セレクタは前記第１の屋外装置からのサーマルノイズまたは前記第２の屋外装置からのサーマルノイズ検波の有無によって前記選択を行なうことを特徴とする誤接続防止回路。
【００６４】
（付記６）前記第１の屋外装置と前記第２の屋外装置が異なる前記電源に接続されている場合に、前記第１セレクタ〜第４セレクタにおける選択で定められた電源供給経路を前記第３セレクタと第４セレクタにおける選択で他方へ切り替えるときは、前記第１セレクタおよび前記第２セレクタにおける選択をも同時に切り替えることを特徴とする付記５に記載の誤接続防止回路。
【００６５】
（付記７）前記屋外装置の一方は前記送信信号を前記屋内装置からアンテナへ送出するＢＵＣ（Block Up Converter）であり、前記屋外装置の他方はアンテナからの前記受信信号を前記屋内装置へ送出するＬＮＢ（Low Noise Block down converter）であることを特徴とする付記１〜６に記載の誤接続防止回路。
【符号の説明】
【００６６】
１            誤接続防止回路
２，３        電流検出部
４，５        セレクタ
６，７        電源
８            表示部
９            制御部
１０          電源・信号分配器
１１          電源・信号合成器
１２，１３    セレクタ
１４，１５    ノイズ検波器
１６          屋内装置
１７，１８    屋外装置
【図１】
0005392860.tif 000002
【図２】
0005392860.tif 000003
【図３】
0005392860.tif 000004
【図４】
0005392860.tif 000005
【図５】
0005392860.tif 000006
【図６】
0005392860.tif 000007
【図７】
0005392860.tif 000008